(57)【要約】【課題】  ネットワーク上で映像の伝送数が増加した場合でも、引き続き映像信号を停滞なく伝送でき、且つ伝送中の映像信号は途中でフレームレートが変化することがないインターホン装置を提供する。【解決手段】  子機１に対して新規の伝送リンク確立時における映像信号伝送のフレームレートを設定するフレームレート設定部３０を特定の親機２ａに設け、合わせて伝送リンク数とフレームレートとを反比例するよう関連付けたフレームレート設定情報を記憶するフレームレート設定記憶部２９を設けた。フレームレート設定部３０はネットワーク上で伝送されている映像信号の伝送リンクを検出して、現在のネットワーク上の映像信号の伝送リンク数をカウントし、伝送リンク数に応じたフレームレートをフレームレート記憶部２９から読み取って、新規に子機１から伝送される映像信号のフレームレートとするよう子機１に通知する。【選択図】  図２
2013042460.tif 000002
【特許請求の範囲】
【請求項１】
呼出ボタン及び操作者を撮像するためのカメラを備えた複数の子機と、応答するための通話ボタン及び前記カメラの撮像映像を表示するディスプレイを備えた複数の親機とを有し、前記子機及び前記親機はＬＡＮ接続され、前記子機から前記親機を呼び出して通話する機能を備えたインターホン装置であって、
前記子機が前記カメラの撮像映像信号から所定のフレームレートのデジタル映像信号を生成するデジタル映像信号生成部を有する一方、
前記子機及び前記親機のうちの少なくとも１台が、全ての前記子機に対して新規の伝送リンク確立時における映像信号伝送のフレームレートを指示するフレームレート設定部と、伝送リンク数とフレームレートとを反比例するよう関連付けたフレームレート設定情報を記憶するフレームレート設定記憶部とを備え、
前記フレームレート設定部は、前記ネットワーク上で伝送されている映像信号の伝送リンクを検出して現在の前記ネットワーク上の映像信号の伝送リンク数をカウントし、カウントした伝送リンク数に応じて、対応するフレームレートを前記フレームレート記憶部から読み取って新規の映像信号のフレームレートとするよう前記全ての子機に対して指示し、伝送中の映像信号については伝送終了までフレームレートを変更しないことを特徴とするインターホン装置。
【請求項２】
呼出ボタン及び操作者を撮像するためのカメラを備えた複数の子機と、応答するための通話ボタン及び前記カメラの撮像映像を表示するディスプレイを備えた複数の親機とを有し、前記子機及び前記親機はＬＡＮ接続され、前記子機から前記親機を呼び出して通話する機能を備えたインターホン装置であって、
前記子機が前記カメラの撮像映像信号から所定のフレームレートのデジタル映像信号を生成するデジタル映像信号生成部を有する一方、
前記子機及び前記親機のうちいずれか１台は、新規の伝送リンク確立時における映像信号のフレームレートを全ての前記子機に対して指示するフレームレート設定部と、映像信号の伝送リンクとフレームレートとを反比例するように関連付けたフレームレート設定情報を記憶するフレームレート設定記憶部とを備えると共に、
前記子機は、映像伝送開始時に前記フレームレート設定部に対してリンク開始信号を送信し、映像伝送終了時にリンク終了信号を送信するリンク状態通知部を有し、
前記フレームレート設定部は、前記ネットワーク上で伝送されている映像信号の伝送リンク数を前記リンク開始信号及び前記リンク終了信号によりカウントし、
カウントした伝送リンク数に応じて、対応するフレームレートを前記フレームレート記憶部から読み取って新規の映像信号のフレームレートとするよう前記全ての子機に対して指示し、伝送中の映像信号については伝送終了までフレームレートを変更しないことを特徴とするインターホン装置。
【請求項３】
前記フレームレート設定部を備えた機器が起動操作されたら、前記フレームレート設定部は、全ての前記子機に対して映像信号の伝送を停止させる映像停止信号を送信することを特徴とする請求項２記載のインターホン装置。
【発明の詳細な説明】
【技術分野】
【０００１】
本発明は、呼び出し／通話機能及びカメラを備えた複数の子機と、通話機能及びカメラ撮像映像を表示するディスプレイを備えた複数の親機を備え、ＬＡＮ接続されたインターホン装置に関する。
【背景技術】
【０００２】
従来より、呼び出し／通話機能及びカメラを備えた複数の子機と、通話機能及びカメラ撮像映像を表示するディスプレイを備えた複数の親機を備え、ＬＡＮ接続されたインターホン装置がある。このようなインターホン装置では、同時に複数の通話路が形成されて複数の映像信号が伝送される場合が発生する。このような場合、ネットワーク内のトラフィックが混雑して映像信号の停滞が発生し、ディスプレイでのなめらかな映像表示ができない状態が発生してしまうため、映像信号の伝送数が増加した場合は、伝送数に応じて個々の映像信号のフレームレートを減少させて対応させていた（例えば、特許文献１参照）。
【先行技術文献】
【特許文献】
【０００３】
【特許文献１】特開２００３−１３４２６８号公報
【発明の概要】
【発明が解決しようとする課題】
【０００４】
しかしながら、上記従来のインターホン装置においては、全ての映像信号のフレームレートが変化するため、伝送中の映像信号のフレームレート即ち現在ディスプレイに表示されている映像の状態も変化した。そのため、表示されている映像がネットワークの状態に応じて不鮮明になったりぎこちない動きになる場合が発生し、利用者は不安に感じたり故障したと判断してしまう場合があった。
【０００５】
そこで、本発明はこのような問題点に鑑み、ネットワーク上で映像の伝送数が増加した場合でも、引き続き映像信号を停滞なく伝送でき、且つ伝送中の映像信号は途中でフレームレートが変化することがないインターホン装置を提供することを目的としている。
【課題を解決するための手段】
【０００６】
上記課題を解決する為に、請求項１の発明は、呼出ボタン及び操作者を撮像するためのカメラを備えた複数の子機と、応答するための通話ボタン及びカメラの撮像映像を表示するディスプレイを備えた複数の親機とを有し、子機及び親機はＬＡＮ接続され、子機から親機を呼び出して通話する機能を備えたインターホン装置であって、子機がカメラの撮像映像信号から所定のフレームレートのデジタル映像信号を生成するデジタル映像信号生成部を有する一方、子機及び親機のうちの少なくとも１台が、全ての子機に対して新規の伝送リンク確立時における映像信号伝送のフレームレートを指示するフレームレート設定部と、伝送リンク数とフレームレートとを反比例するよう関連付けたフレームレート設定情報を記憶するフレームレート設定記憶部とを備え、フレームレート設定部は、ネットワーク上で伝送されている映像信号の伝送リンクを検出して現在のネットワーク上の映像信号の伝送リンク数をカウントし、カウントした伝送リンク数に応じて、対応するフレームレートをフレームレート記憶部から読み取って新規の映像信号のフレームレートとするよう全ての子機に対して指示し、伝送中の映像信号については伝送終了までフレームレートを変更しないことを特徴とする。
この構成によれば、フレームレート設定部がネットワーク上の映像信号を監視し、伝送される映像信号の数に応じて新規の映像信号のフレームレートを順次小さくするため、ネットワーク上で映像の伝送リンク数が多い場合であっても、ネットワークの伝送路容量の範囲内で全ての映像信号の伝送リンクを確保できる。よって、同時に伝送される映像信号数が多数となっても映像が乱れたり映像が伝送できない事態を防ぐことができる。
そして、伝送中の映像信号のフレームレートは途中で変動しないため、親機は安定した状態で映像を表示でき、表示映像の状態が途中から変化して見辛くなったりすることで応答者に不快感を与えるようなことがない。
【０００７】
請求項２の発明は、呼出ボタン及び操作者を撮像するためのカメラを備えた複数の子機と、応答するための通話ボタン及びカメラの撮像映像を表示するディスプレイを備えた複数の親機とを有し、子機及び親機はＬＡＮ接続され、子機から親機を呼び出して通話する機能を備えたインターホン装置であって、子機がカメラの撮像映像信号から所定のフレームレートのデジタル映像信号を生成するデジタル映像信号生成部を有する一方、子機及び親機のうちいずれか１台は、新規の伝送リンク確立時における映像信号のフレームレートを全ての子機に対して指示するフレームレート設定部と、映像信号の伝送リンクとフレームレートとを反比例するように関連付けたフレームレート設定情報を記憶するフレームレート設定記憶部とを備えると共に、子機は、映像伝送開始時にフレームレート設定部に対してリンク開始信号を送信し、映像伝送終了時にリンク終了信号を送信するリンク状態通知部を有し、フレームレート設定部は、ネットワーク上で伝送されている映像信号の伝送リンク数をリンク接続信号及びリンク終了信号によりカウントし、カウントした伝送リンク数に応じて、対応するフレームレートをフレームレート記憶部から読み取って新規の映像信号のフレームレートとするよう全ての子機に対して指示し、伝送中の映像信号については伝送終了までフレームレートを変更しないことを特徴とする。
この構成によれば、フレームレート設定部が子機からの通知を受けてネットワーク上の映像信号を監視し、伝送される映像信号の数に応じて新規の映像信号のフレームレートを順次小さくするため、ネットワーク上で映像の伝送リンク数が多い場合であっても、ネットワークの伝送路容量の範囲内で全ての映像信号の伝送リンクを確保できる。よって、同時に伝送される映像信号数が多数となっても映像が乱れたり映像が伝送できない事態を防ぐことができる。
そして、伝送中の映像信号はフレームレートが途中で変動されないため、親機は安定した状態で映像を表示でき、表示映像の状態が途中から変化して見辛くなったり不快感を与えるようなことがない。
【０００８】
請求項３の発明は、請求項２に記載の構成において、フレームレート設定部を備えた機器が起動操作されたら、フレームレート設定部は、全ての子機に対して映像信号の伝送を停止させる映像停止信号を送信することを特徴とする。
この構成によれば、フレームレート設定部が起動した際、子機の映像伝送を停止するため、フレームレート設定部が管理しているリンク数と実際に確立されているリンク数が異なる事態を防止できる。
【発明の効果】
【０００９】
本発明によれば、フレームレート設定部がネットワーク上の映像信号を監視し、伝送される映像信号の数に応じて新規の映像信号のフレームレートを順次小さくするため、ネットワーク上で映像の伝送リンク数が多い場合であっても、ネットワークの伝送路容量の範囲内で全ての映像信号の伝送リンクを確保できる。よって、同時に伝送される映像信号数が多数となっても映像が乱れたり映像を伝送できない事態を防ぐことができる。
そして、伝送中の映像信号はフレームレートが途中で変動されないため、親機は安定した状態で映像を表示でき、表示映像の状態が途中から変化して見辛くなったり不快感を与えるようなことがない。
【図面の簡単な説明】
【００１０】
【図１】本発明に係るインターホン装置の第１の形態を示す構成図である。
【図２】図１の子機及び親機の一部を示す回路ブロック図である。
【図３】フレームレート設定記憶部が記憶する伝送リンク数とフレームレートの関係を示す表図である。
【図４】映像信号の伝送リンク数の変化を受けてフレームレートの変化の流れを示すフローチャートである。
【図５】本発明の第２の形態を示し、フレームレートの変化の流れを示すフローチャートである。
【発明を実施するための形態】
【００１１】
以下、本発明を具体化した実施の形態を、図面を参照して詳細に説明する。図１は本発明に係るインターホン装置の第１の形態を示す構成図であり、１は呼出ボタン１１及び操作者を撮像するためのカメラ１２を備えた子機、２は呼び出しに応答するための通話ボタン２１及びカメラ１２の撮像映像を表示するディスプレイ２２を備えた親機、３は機器間を接続する信号ケーブルを集約するためのＨＵＢであり、子機１及び親機２は複数設置されている。
各機器はそれぞれ固有のＩＰアドレスを有してＬＡＮ接続され、機器間の通信はＩＰプロトコルにより、データ信号、デジタル音声信号、デジタル映像信号の送受を時分割多重通信で行なうよう構成されている。
【００１２】
図２は図１の子機１及び親機２の要部をブロックで示している。図２に示すように、子機１は、呼出ボタン１１、カメラ１２に加えて、親機２との間で通話を実施するためのマイク１３及びスピーカ１４、カメラ１２が撮像した映像信号から所定のフレームレートのデジタル映像信号を生成するデジタル映像信号生成部１５、子機１全体を制御する子機ＣＰＵ１６、親機２と通信するためのインターフェース１７等を備えている。
【００１３】
また親機２は、通話ボタン２１、ディスプレイ２２に加えて、子機１或いは他の親機２との間で通話を実施するためのマイク２３及びスピーカ２４、各種設定操作を行う操作部２５、子機１から伝送された映像信号を受信してディスプレイ２２の表示映像を生成する映像受信部２６、親機２全体を制御する親機ＣＰＵ２７、子機１や他の親機２と通信するためのインターフェース２８等を備えている。
【００１４】
但し、親機２のうち特定の親機２ａは、映像信号の伝送リンク数とフレームレートの関係を記憶したフレームレート設定記憶部２９を備え、この親機２ａの親機ＣＰＵ２７ａは、子機１に対して映像信号を送出する際のフレームレートを設定するフレームレート設定機能を備えている。即ちフレームレート設定部３０を備えている。
フレームレート設定記憶部２９には、図３に示すような伝送リンク数とフレームレートを関連付けた表が記憶され、ネットワーク上で映像信号の伝送がない伝送リンク数が０本の状態で、最初に伝送する映像信号のフレームレートは３０フレーム毎秒で実施し、既に１本の伝送リンクが形成されている場合に次に形成される伝送リンクは１５フレーム毎秒で実施するよう伝送リンク数とフレームレートの反比例する関係が設定され記憶されている。
【００１５】
尚、ここで使用されるＬＡＮは、例えばＶＧＡ画像で１００フレーム毎秒程度の伝送路容量が確保されているネットワークを想定しており、伝送リンク数とフレームレートの関係を図３に示すよう設定することで、例えば７本の映像信号が同時に伝送された場合でも、良好に映像回線を確保できる。
【００１６】
以下、上記インターホン装置の動作を説明する。図４は子機１から親機２に伝送される映像信号のフレームレートの設定の流れを示すフローチャートであり、このフローを基に説明する。
まず、何れの子機１からも映像信号が送られていない、即ち呼び出し／通話状態になく伝送リンクが確立されていない待受状態では、フレームレート設定部３０は映像信号のトラフィックがないことを信号ケーブル上の伝送データで把握する。この状態では、フレームレート設定記憶部２９に記憶された図３に示す設定一覧に従い、全ての子機１，１・・に対して、次に伝送リンクを確立した際に伝送される映像信号のフレームレートを３０フレーム毎秒とする指示信号を送信する。この指示信号の送信は、個々の子機１のＩＰアドレスに対して送信される。
この指示信号を受けた各子機１，１・・の子機ＣＰＵ１６は、デジタル映像信号生成部１５において３０フレーム毎秒でフレームレートを生成するよう設定する。
【００１７】
そして、子機１の呼出ボタン１１が操作されると、子機ＣＰＵ１６が予め記憶している親機ＩＰアドレスに対して呼出信号を送信するとともに、スピーカ１４から呼出確認音を鳴動させ、マイク１３を能動として親機２への音声信号を送信可能とする。さらに、カメラ１２を起動して撮像を開始させ、デジタル映像信号生成部１５に設定されたフレームレートでデジタル映像信号（ここでは３０フレーム毎秒）を作成させる。
その後、マイク１３が集音した音声信号とデジタル映像信号生成部１５の映像信号とを呼出先の親機２に映像開始信号と共に送信する。尚、この信号の送信も親機２のＩＰアドレスに対して実施される。以下、信号の送信は同様にＩＰアドレスに対して実施される。
【００１８】
呼出信号はＨＵＢ３を介して呼出先の親機２にて受信される。呼出信号を受信した親機２の親機ＣＰＵ２７は、スピーカ２４から呼出音を鳴動する。また映像開始信号とともに受信した映像信号は、映像受信部２６において受信した映像信号からディスプレイ２２に表示するための映像信号を生成してディスプレイ２２に表示させる。
【００１９】
また、映像開始信号は親機２ａのフレームレート設定部３０でも受信される。映像開始信号を受信（Ｓ１でＹＥＳ）したフレームレート設定部３０は、この映像開始信号が新規であることを認識（Ｓ２でＹＥＳ）すると、映像信号のトラフィック（伝送リンク）が新たに１つ発生したこと認識（Ｓ３）し、次回のフレームレート変更制御を開始する（Ｓ４）。図３に示す設定一覧に従い、全ての子機１，１・・に対して、次に確立する伝送リンクは２本目となるため、次の伝送レートのフレームレートを１５フレーム毎秒とすることを指示する（Ｓ５）。
【００２０】
この指示を受けた後、映像信号伝送が終了することなく（Ｓ６でＮＯ）他の子機１で呼出操作がなされると、その子機１のデジタル映像信号生成部１５は指示に基づき１５フレーム毎秒のフレームレートとしたデジタル映像信号を生成する。そして、生成された映像信号は、映像開始信号と共に呼出先の親機２に送信される。
【００２１】
この映像開始信号は親機２ａのフレームレート設定部３０でも受信（Ｓ１でＹＥＳ）され、新規信号であると認識し（Ｓ２でＹＥＳ）たフレームレート設定部３０は、伝送リンク数の１増を把握する（Ｓ３）。その結果、次回のフレームレート変更制御を実施（Ｓ４）し、子機１，１・・のデジタル映像信号生成部に対して、図３に示す設定一覧に従い、次に伝送リンクを確立する際のフレームレートを８フレーム毎秒とすることを指示す（Ｓ５）る。
【００２２】
一方、通話終了等により子機１からの映像送信が終了すると、子機ＣＰＵ１６は映像終了信号を通話先の親機２に送信する。この映像終了信号はフレームレート設定部３０でも受信（Ｓ６でＹＥＳ）され、この映像終了信号が新規信号であることを確認すると（Ｓ７でＹＥＳ）、トラフィック数が１減少して現在伝送リンク数が１であることを認識（Ｓ８）し、次回のフレームレート変更制御を実行して（Ｓ９）、子機１，１・・に対して次に伝送リンクを確立する際のフレームレートを１５フレーム毎秒とすることを指示する（Ｓ１０）。以下、映像開始信号及び映像終了信号を受信することで、フレームレート設定部３０である親機ＣＰＵ２７ａは伝送フレーム数を把握し、適切はフレームレートを指示する制御を継続する。
【００２３】
このように、フレームレート設定部３０がネットワーク上の映像信号を監視し、伝送される映像信号の数に応じて新規の映像信号のフレームレートを順次小さくするため、ネットワーク上で映像の伝送リンク数が多い場合であっても、ネットワークの伝送路容量の範囲内で全ての映像信号の伝送リンクを確保できる。よって、同時に伝送される映像信号数が多数となっても映像が乱れたり映像が伝送できなう事態を防ぐことができる。
そして、伝送中の映像信号のフレームレートは途中で変動しないため、親機２は安定した状態で映像を表示でき、表示映像の状態が途中から変化して見辛くなったりすることで応答者に不快感を与えるようなことがない。
特に、使用頻度が低いインターホン装置においては、殆どの場合は３０フレーム毎秒の高画質の映像を伝送できる。そして、低頻度ではあるが複数の映像信号が同時に伝送されるような状況が発生しても、確実に映像信号を伝送することができる。
【００２４】
尚、この実施形態では、１台の親機２ａにフレームレート設定部３０としての機能を設けたが、子機１を含めて複数の機器にフレームレート設定部３０及びフレームレート設定記憶部２９を設けても良い。複数設けても、同一の伝送リンク数とフレームレートの関係を記憶することで、映像開始信号及び映像終了信号を受信したフレームレート設定部３０はフレームレート変更制御を実施するが、全てのフレームレート設定部３０は同一の制御信号を出力するため、インターホン装置全体の動作に支障を来すことがない。逆に、いずれかの機器が故障しても、正常に動作している機器があればその機器によりフレームレート制御を正常に行うことができ、インターホン装置全体として正常動作を維持できる。
また、親機ＣＰＵ２７ａにフレームレート設定部３０の機能を具備させているが、フレームレート設定部３０は独立して設けても良い。
【００２５】
次にインターホン装置の第２の形態を説明する。但し、機器構成については上記形態の図１、図２と同様であるため説明を省略し、信号の構成及び作用を説明する。図５は子機１から親機２に伝送される映像信号のフレームレートを設定する流れを示すフローチャートであり、このフローを基に説明する。尚、フレームレート設定記憶部２９及びフレームレート制御部３０は特定の１台の親機２ａにのみ設けられている。
【００２６】
まず、インターホン装置起動時、或いはフレームレート設定記憶部２９を備えた親機２ａが起動された場合、フレームレート設定部３０は全ての子機１，１・・・に対して映像信号の停止を指示する映像停止信号を送信する（Ｓ１０１）。そして、フレームレート設定記憶部２９に記憶されている図３に示す設定一覧に従い、子機１，１・・・に対して次に伝送リンクを確立する際のフレームレートを３０フレーム毎秒とする指示信号を送信する。この結果、起動時のフレームレート設定部３０は映像信号のリンク数を認識することができないが、リンク数を強制的に０とするため、フレームレート設定部３０が把握するリンク数と実際に確立されているリンク数が異なるような事態を防止できる。
【００２７】
尚、映像停止信号が出力された際に、実際に停止した映像信号の伝送リンクがあった場合は、後述するリンク開始信号を送信して映像信号の送信を再開することができ、リンク開始信号を受けてフレームレート設定部３０は、伝送リンク数を把握できる。
【００２８】
子機１の呼出ボタン１１が操作されると、子機ＣＰＵ１６は記憶されている親機ＩＰアドレスを読み出し、当該アドレスに対して呼出信号を送信するとともに、スピーカ１４から呼出確認音を鳴動させ、マイク１３を能動として親機２への音声信号を送信可能とする。さらに、カメラ１２を起動して撮像を開始させ、デジタル映像信号生成部１５にあらかじめ親機２ａから受信している信号により設定されたフレームレートでデジタル映像信号（３０フレーム毎秒）を作成させる。
【００２９】
その後子機ＣＰＵ１６は、マイク１３が集音した音声信号と、デジタル映像信号生成部１５が生成したフレームレート３０フレーム毎秒の映像信号とを、呼出先の親機２のＩＰアドレスに対して送信する。映像信号は映像開始信号と共に送信する。また、リンク開始信号をフレームレート設定部３０に対して送信する。
尚、リンク開始信号は、フレームレート設定記憶部３０を備えた親機２ａのＩＰアドレスに対して送信される。
【００３０】
呼出信号はＨＵＢ３を介して呼出先の親機２にて受信され、呼出信号を受信した親機ＣＰＵ２７は、スピーカ２４から呼出音を鳴動させ、受信した映像信号を映像受信部２６を介してディスプレイ２２に表示させる。
【００３１】
また、リンク開始信号を受信（Ｓ１０２でＹＥＳ）したフレームレート設定部３０は、映像信号の伝送リンクが新たに１つ発生したことを認識（Ｓ１０３）し、次回のフレームレート変更制御を開始する（Ｓ１０４）。図３に示す設定一覧に従い、子機１，１・・に対して、次に伝送リンクを確立する際のフレームレートを１５フレーム毎秒とすることを指示する（Ｓ１０５）。
【００３２】
引き続き、確立した伝送リンクが終了することなく（Ｓ１０６でＮＯ）他の子機１で呼出操作がなされると、子機１のデジタル映像信号生成部１５は、フレームレートを１５フレーム毎秒とするデジタル映像信号を作成して送信するとともに、リンク開始信号をフレームレート設定部３０に対して送信する。そして、リンク開始信号を受信した（Ｓ１０２でＹＥＳ）フレームレート設定部３０は、子機１，１・・に対して、次に伝送リンクを確立する際のフレームレートを８フレーム毎秒とすることを指示する（Ｓ１０３〜Ｓ１０５）。
【００３３】
ここで、通話終了等により子機１からの映像送信が終了すると、子機１は映像終了信号を通話先の親機１に送信するとともに、リンク終了信号をフレームレート設定部３０に対して送信する。リンク終了信号を受信（Ｓ１０６でＹＥＳ）したフレームレート設定部３０は、子機１，１・・・に対して、次に伝送リンクを確立する際のフレームレートを１５フレーム毎秒とすることを指示する（Ｓ１０７〜Ｓ１０９）。
【００３４】
このように、フレームレート設定部３０が子機１からの通知を受けてネットワーク上の映像信号を監視し、伝送される映像信号の数に応じて新規の映像信号のフレームレートを順次小さくするため、ネットワーク上で映像の伝送リンク数が多い場合であっても、ネットワークの伝送路容量の範囲内で全ての映像信号の伝送リンクを確保できる。よって、同時に伝送される映像信号数が多数となっても映像が乱れたり映像が伝送できない事態を防ぐことができる。
そして、伝送中の映像信号のフレームレートは途中で変動しないため、親機は安定した状態で映像を表示でき、表示映像の状態が途中から変化して見辛くなったりすることで応答者に不快感を与えるようなことがない。
【００３５】
尚、第２の実施形態では、１台の親機２ａにフレームレート設定機能を設けているが、特定の子機１にフレームレート設定機能を設けても良く、フレームレート設定機能はインターホン装置を構成する子機１及び親機２のうちの何れか１台に設ければよい。
【符号の説明】
【００３６】
１・・子機、２，２ａ・・親機、３・・ＨＵＢ、１１・・呼出ボタン、１２・・カメラ、１５・・デジタル映像信号生成部、１６・・子機ＣＰＵ（リンク状態通知部）、２１・・通話ボタン、２２・・ディスプレイ、２７，２７ａ・・親機ＣＰＵ、２９・・フレームレート設定記憶部、３０・・フレームレート設定部。
【図１】
2013042460.tif 000003
【図２】
2013042460.tif 000004
【図３】
2013042460.tif 000005
【図４】
2013042460.tif 000006
【図５】
2013042460.tif 000007